(57)【特許請求の範囲】
【請求項１】
レンズなどの光学系によって結像された光信号を電気信号に変換する複数の画素を水平方向及び垂直方向に配列した画素配列を備え、該画素配列が垂直２列，水平４行を基本単位とする繰り返し周期を有し、該水平４行の第１行目に第１の色光を感光する画素と第２の色光を感光する画素とが交互に配列され、該水平４行の第２行目に第３の色光を感光する画素と第４の色光を感光する画素度が交互に配列され、該水平４行の第３行目に該第２の色光を感光する画素と該第１の色光を感光する画素とが交互に配列され、該水平４行の第４行目に該第３の色光を感光する画素と該第４の色光を感光する画素とが交互に配列された画素配列であり、該垂直方向に配列した画素配列における垂直方向の画素数はテレビジョン方式における走査線数よりも大きい垂直画素数であって、該複数の画素に蓄積した画素信号を一行毎に間引いてインターレース出力する第１の信号読出しモードと、該複数の画素に蓄積した画素信号を垂直方向に隣接した２行の画素毎に加算して順次読み出し出力し、かつ、毎回の読み出しでの画素を加算する２行の組み合わせを同じにする第２の信号読出しモードとにより、信号を出力する光電変換手段と、
該光電変換手段から該第１の信号読出しモードでインターレース出力された映像信号を順次信号に変換する順次変換手段と、
該第１の信号読出しモードにおいて、該順次変換手段によって順次変換された映像信号を所定の画像フォーマットに変換して単一の画像を１単位とする静止画像である第１の映像信号を生成し、該第２の信号読出しモードにおいて、該光電変換手段から順次出力された映像信号を所定の画像フォーマットに変換して連続する複数の画像からなる動画像である第２の映像信号を生成する信号処理手段と、
該第２の映像信号の単位時間当たりの出力画素数を、入力画素数とは異なる画素数であって、テレビジョン方式に合った画素数となるように変換するレート変換手段と、
該信号処理手段から出力される該第１の映像信号または該信号処理手段から出力され該レート変換手段によりレート変換される第２の映像信号を、第１の符号化方法でデータ量を圧縮し、静止画像の画像データである第１の画像データまたは動画像の画像データである第２の画像データを生成する符号化手段と、
該符号化手段から出力される該第１または第２の画像データを記録媒体に記録する記録手段と、
該記録媒体に記録された該第１の画像データを復号化して第１の映像信号を再生する復号化手段と
を備えたことを特徴とする撮像装置。
【請求項２】
請求項１において、
前記順次変換手段及び前記レート変換手段は、前記入力画像信号を記憶するメモリ手段と、該メモリの書込／読出アドレスとタイミングとを制御するメモリ制御手段とによって構成されたことを特徴とする撮像装置。
【請求項３】
請求項１または２において、
前記第１の色光はマゼンタ、前記第２の色光は緑、前記第３の色光はシアン、前記第４の色光は黄であることを特徴とする撮像装置。
【請求項４】
請求項１または２において、
前記第１の色光は赤、前記第２の色光は緑、前記第３の色光は青、前記第４の色光は緑であることを特徴とする撮像装置。
【請求項５】
請求項１または２において、
前記光電変換手段における垂直方向の有効画素数が凡そ９６０であることを特徴とする撮像装置。
【請求項６】
レンズなどの光学系によって結像された光信号を電気信号に変換する複数の画素を水平方向及び垂直方向に配列した画素配列を備え、該画素配列が垂直２列，水平４行を基本単位とする繰り返し周期を有し、該水平４行の第１行目に第１の色光を感光する画素と第２の色光を感光する画素とが交互に配列され、該水平４行の第２行目に第３の色光を感光する画素と第４の色光を感光する画素度が交互に配列され、該水平４行の第３行目に該第２の色光を感光する画素と該第１の色光を感光する画素とが交互に配列され、該水平４行の第４行目に該第３の色光を感光する画素と該第４の色光を感光する画素とが交互に配列された画素配列であり、該垂直方向に配列した画素配列における垂直方向の画素数はテレビジョン方式における走査線数よりも大きい垂直画素数であって、該複数の画素に蓄積した画素信号を１行毎に間引いてインターレース出力する第１の信号読出しモードと、該複数の画素に蓄積した画素信号を垂直方向に隣接した２行の画素毎に加算して順次読み出し出力し、かつ毎回の読み出しでの画素を加算する２行の組み合わせを同じにする第２の信号読出しモードとにより、信号を出力する光電変換手段と、
該光電変換手段から該第１の読出しモードでインターレース出力された映像信号を順次信号に変換する順次変換手段と、
該第１の信号読出しモードにおいて、該順次変換手段によって順次変換された映像信号を所定の画像フォーマットに変換して単一の画像を１単位とする静止画像である第１の映像信号を生成し、該第２の信号読出しモードにおいて、該光電変換手段から順次出力された映像信号を所定の画像フォーマットに変換して連続する複数の画像からなる動画像である第２の映像信号を生成する信号処理手段と、
該第２の映像信号の単位時間当たりの出力画素数を、入力画素数とは異なる画素数であって、テレビジョン方式に合った画素数となるように変換するレート変換手段と、
該信号処理手段から出力される該第１または第２の映像信号を、第１の符号化方法により、フレーム内のデータ量を圧縮して静止画像の画像データである第１の画像データまたは動画像の画像データである第２の画像データを生成し、該信号処理手段から出力され該レート変換手段によりレート変換される該第２の映像信号を、第２の符号化方法により、フレーム内及びフレーム間のデータ量を圧縮して、動画像の画像データである第３の画像データを生成する符号化手段と、
該符号化手段から出力される該第１または第２及び第３の画像データを記録媒体に記録する記録手段と、
該記録媒体に記録された該第１または第２及び第３の画像データを復号化して該第１，第２の映像信号及び第３の映像信号を再生する復号化手段と
を備えたことを特徴とする撮像装置。
【請求項７】
請求項６において、
前記順次変換手段及びレート変換手段は、前記入力画像信号を記憶するメモリ手段と、該メモリの書込／読出アドレスとタイミングとを制御するメモリ制御手段とによって構成されたことを特徴とする撮像装置。
【請求項８】
請求項６または７において、
前記第１の色光はマゼンタ、前記第２の色光は緑、前記第３の色光はシアン、前記第４の色光は黄であることを特徴とする撮像装置。
【請求項９】
請求項６または７において、
前記第１の色光は赤、前記第２の色光は緑、前記第３の色光は青、前記第４の色光は緑であることを特徴とする撮像装置。
【請求項１０】
請求項６または７において、
前記光電変換手段における垂直方向の有効画素数が凡そ９６０であることを特徴とする撮像装置。
【発明の詳細な説明】
【０００１】
【発明の属する技術分野】
本発明は、ＣＣＤ(Charge Coupled Device)などの撮像素子を用いて撮像装置であって、特に、動画と静止画とを得ることができるようにした撮像装置に関する。
【０００２】
【従来の技術】
ＣＣＤなどの撮像素子を用いて光電変換を行ない、これにデジタル信号処理を施して所定のデジタル画像信号を得る従来の撮像装置は、動画を撮像するビデオカメラと、静止画を撮像する電子スチルカメラとに分類することができる。しかし、動画撮像と静止画撮像の両方に対応できる撮像装置も提案されており、例えば、特開平２−２８０４９６号公報や「１９９５年 日本写真学会 ファインイメージシンポジウム予稿集」ｐｐ.５９−６２に記載されている。
【０００３】
上記従来例では、一般に、撮像素子は動画用、即ち、ビデオカメラ用のＣＣＤを用いている。このような撮像素子に用いる色フィルタ配列の例を図３の（ａ）に示す。この例では、Ｍｇ，Ｇ，Ｃｙ，Ｙｅの補色フィルタを用いている。この色フィルタを備えた撮像素子を用いて動画データを生成する場合には、垂直方向に隣接する２画素の信号を混合して出力する。
【０００４】
また、ＮＴＳＣ方式などのアナログＴＶ（テレビジョン）信号規格におけるビデオ信号はインターレース信号であるが、このようなインターレース信号を生成するために、混合する行の組み合わせをフィールド毎に変えることにより、擬似的にインターレース走査を行なうようにしている。
【０００５】
また、このような撮像素子を用いて静止画撮影を行なう場合は、垂直方向に隣接する画素間の信号を混合せず、各画素の信号を独立に読み出す。この際、まず、第１フィールドで奇数行の画素信号を読み出し、第２フィールドで偶数行の画素信号を読み出し、第１フィールドと第２フィールドとの信号を順次信号に変換して静止画像を生成する。
【０００６】
一方、静止画の解像度を高めるため、撮像素子の画素数をビデオカメラ用の撮像素子よりも増加させた撮像素子が提案されている。このような撮像素子の垂直画素数は、現行のテレビジョン方式における走査線数よりも大きく、一例として、垂直方向の有効画素数が９６０である場合、テレビジョン方式における走査線数の２倍になる。このような静止画用の撮像素子の色フィルタ配置の例を図３（ｃ）に示す。このフィルタでは、３原色ＲＧＢを用いている。
【０００７】
【発明が解決しようとする課題】
しかし、高解像度を得るために、ＣＣＤの画素数を増やすと、動画像の生成が困難になるという問題がある。
【０００８】
例えば、水平，垂直方向の画素数を夫々５００画素として総画素数を２５万画素するＣＣＤを用いた場合、約１０ＭＨｚの駆動周波数で毎秒３０枚のフレーム画を出力することができ、ＮＴＳＣ方式などの動画像をリアルタイムに生成することができる。しかし、画素数を水平，垂直とも２倍の高解像度化した場合、画素数は４倍となり、例えば、垂直画素数が９６０の場合、４画素に１画素の割合で画素を間引いて１フィールドに２４０ラインの信号を出力する必要があるが、このように処理すると、折り返しが生じて画質が劣化してしまう。
【０００９】
本発明の目的は、かかる問題を解消し、高画素ＣＣＤを用いて高画質の動画，静止画を生成可能とした撮像装置を提供することにある。
【００１０】
【課題を解決するための手段】
上記目的を達成するために、本発明は、複数の画素に蓄積した画素信号を１行毎に間引いてインターレース出力する第１の信号読出しモードと該複数の画素に蓄積した画素信号を垂直方向に隣接した２画素毎に加算して順次出力する第２の信号読出しモードとによって信号を出力する光電変換手段と、該光電変換手段から該第１の信号読出しモードでインターレース出力された映像信号を順次信号に変換する順次変換手段と、該第１の信号読出しモードにおいて、該順次変換手段によって順次変換された映像信号を所定の画像フォーマットに変換して第１の映像信号を生成し、該第２の信号読出しモードにおいて、該撮像手段から順次出力された映像信号を、４：２：２のＹＵＶ信号など、所定の画像フォーマットに変換して第２の映像信号を生成する信号処理手段と、該第２の映像信号の単位時間当たりの出力画像枚数を入力画像枚数とは異なる枚数に変換するレート変換手段と、該信号処理手段から出力される該第１または該第２の映像信号をＪＰＥＧなどの符号化方法でデータ量を圧縮して第１または第２の画像データを生成する符号化手段と、該符号化手段から出力される該第１または第２の画像データを記録する記録媒体と、該記録媒体に記録された該第１の画像データを復号化して該第１の映像信号を再生する復号化手段とによって構成する。
【００１１】
また、本発明は、上記第１の信号読出しモードによって上記光電変換手段から各画素を独立に読み出した信号を用いて、高解像度の静止画を生成する。
【００１２】
動画像を生成する際には、上記第２の信号読出しモードにより、垂直方向に隣接する画素を混合することによってライン数を半分にして全ての画素の信号を読み出す。この際、読み出しレートは、例えば、４ラインに１ラインの間引きを行なう場合に比べて１画面当りの読出しレートが倍になる。例えば、垂直の有効画素数が９６０の場合、動画撮影時には、垂直方向に隣接する画素の信号を加算して読み出すため、４８０ラインの信号を１／３０秒に１枚の割合で読み出す。この信号を、上記レート変換手段により、１／６０秒２４０ラインのインターレース信号に変換する。動画像は、垂直方向の間引きを行なう必要がないため、折り返しのない高画質の動画像を生成することができる。
【００１３】
【発明の実施の形態】
以下、本発明の実施形態を図面を用いて説明する。
図１は本発明による撮像装置の一実施形態を示すブロック図であって、１はレンズ、２はＣＣＤなどの撮像素子、３はＡ／Ｄ変換回路、４は順次変換回路、５は撮像素子の出力信号をＹＵＶ信号に変換し、また、ＮＴＳＣ方式やＰＡＬ方式などの標準ＴＶ信号を生成する信号処理回路、６は各ブロックの動作タイミングを制御したり、画像データの入出力制御を行なう制御回路、７は絞り、８は撮像素子２を駆動する駆動回路、９は画像データを記録する記録媒体、１０はＪＰＥＧ(Joint Photographic Expert Group)などの方式で画像の圧縮及び伸長を行なう圧縮伸長回路である。ここで、記録媒体９は、フラッシュメモリなどの半導体メモリやハードディスクなどの磁気ディスクなどを用いる。ＰＣカードなど着脱可能な媒体を用いてもよい。１３はスイッチであり、動画モードと静止画モードのモード切換ボタンや静止画撮像時のシャッタボタンとして機能する。制御回路６は、このスイッチ１３の指示に応じて、以下に述べるような動画撮像時と静止画撮像時とで異なる処理を行なうように、駆動回路８や信号処理回路５などを制御する。
【００１４】
図２は図１における撮像素子２の撮像面での構成の一具体例を示す図であって、２０は画素、２１は垂直転送部（垂直ＣＣＤ）、２２は水平転送部（水平ＣＣＤ）、２３は出力部である。
【００１５】
図１において、レンズ１を通して入射した光は、絞り７を介して、制御回路６の制御のもとに駆動回路８によって駆動される撮像素子２の撮像面上に入射され、被写体像が結像する。撮像素子２は、図２に示すように、その撮像面に多数の画素２０を備えている。各画素２０での光電変換によって生成された画素信号は、垂直ＣＣＤ２１に転送される。画素２０から垂直ＣＣＤ２１への転送動作は、通常、全画素一斉に行なわれる。垂直ＣＣＤ２１に転送された画素信号は、この垂直ＣＣＤ２１内を、図面上、上方に転送され、さらに、水平ＣＣＤ２２内を転送された後、出力部２３から出力される。
【００１６】
なお、撮像素子２は、混合読出しモードと非混合読出しモードに対応した信号読み出しが可能な構成を有している。混合読出しモードは、一般に、動画像を生成する場合の動作モードであり、例えば、以下のようにして信号を読み出す。
【００１７】
まず、撮像面での画素の水平方向の配列（これを「行」という）のうち、奇数番目の行１，３，５，……の画素に対応する画素信号を垂直ＣＣＤ２１に読み出す。その後、偶数番目の行２，４，６，……の画素に対応するの画素信号を垂直ＣＣＤ２１に読み出した後、１段垂直転送し、既に垂直ＣＣＤ２１に読み出されている奇数番目の行の画素信号と混合し、行１と２，行３と４，行５と６，……というように画素信号を混合する。そして、水平帰線期間に１段ずつ垂直ＣＣＤ２１を転送することにより、かかる２行が混合されて１ラインをなす混合画素信号を読み出す。例えば、垂直方向の有効画素数が９６０である場合、４８０ライン分の信号を１／３０秒間で１フレームの画像として読み出すことになる。
【００１８】
図２に示した撮像素子の画素配列では、水平２画素×垂直４画素の計８画素を基本単位として繰り返す色フィルタ配列を備えている。色フィルタとしては、Ｍ（マゼンタ），Ｇ（緑），Ｃｙ（シアン），Ｙｅ（黄色）の４種類を用いたものであって、これらの信号を混合した線順次信号が得られることになる。即ち、（Ｍ＋Ｃ）信号と（Ｇ＋Ｙ）信号とが画素毎に交互に繰り返す点順次信号が出力されるラインと、（Ｇ＋Ｃ）信号と（Ｍ＋Ｙ）信号とが画素毎に交互に繰り返す点順次信号が出力されるラインとが交互に繰り返す。
【００１９】
このような線順次信号が出力されるのは、ビデオカメラにおける動画撮影時と同様である。異なる点は、通常のビデオカメラの場合、一般に、撮像素子の画素数をテレビジョン方式の画素数に合わせているので、１フィールド１／６０秒で全ての画素を読み出し、次のフィールドでは、混合する行の組み合わせをずらすことにより、擬似的にインターレース読み出しする点であるが、この実施形態では、毎回の読出しにおいて、混合するラインの組み合わせを換えることは行なわない。
【００２０】
撮像素子２から出力されるかかる４種類の混合画素信号は、図１において、Ａ／Ｄ変換回路３に供給されてディジタル信号に変換された後、信号処理回路５に供給される。この信号処理回路５では、かかる４種類の混合画素信号（Ｍ＋Ｃ），（Ｇ＋Ｙ），（Ｇ＋Ｃ），（Ｍ＋Ｙ）をマトリクス演算することにより、３原色信号Ｒ（赤），Ｇ（緑），Ｂ（青）が生成されてホワイトバランス処理，ガンマ処理され、かかる処理された原色信号Ｒ，Ｇ，Ｂから輝度信号Ｙと色差Ｕ，Ｖが生成されて、さらに、レート変換回路１１を用いることにより、６０フィールド／秒のインターレース信号に変換され、さらに、ＮＴＳＣ方式やＰＡＬ方式などの標準方式の映像信号とされる。このようにして動画像信号を生成することができ、生成された動画像は出力端子１２から出力される。
【００２１】
このようにして生成した動画像は、垂直方向の間引きが行なわれていないので、折り返しが発生せず、高画質の動画像を再生することができる。
【００２２】
静止画を撮影する場合には、動画像の撮像時とは異なり、画素混合せずに１行１ラインとするものであり、第１フィールドで奇数番目の行の全データを独立に全て読み出し、第２フィールドで偶数番目の行の全データを読み出してインターレースする信号を出力する。垂直の有効画素が９６０である場合、ここでいう１フィールドは通常１／３０秒に相当する。この静止画信号は、動画の場合と同様、Ａ／Ｄ変換回路３を介して信号処理回路５に供給されて処理されるが、これとともに、順次変換回路４を用いて第１フィールドの１つおきのラインと第２フィールドの１つおきのラインとの線順次信号が生成される。順次変換回路４は、ＤＲＡＭなどのメモリで構成されており、第１フィールドでは、撮像素子から読み出された奇数ラインの信号が抽出されてこのメモリに奇数番目のライン１，３，５，……として書き込まれ、第２フィールドでは、読み出された偶数ラインの信号が抽出されて一旦このメモリに偶数番目のライン２，４，６，……として書き込まれ、これからライン１，ライン２，ライン３と以下順次に読み出すことにより、順次変換が行なわれる。
【００２３】
信号処理回路５で処理されて順次変換された静止画は、圧縮／伸長回路１０により、ＪＰＥＧなどの方式で圧縮符号化され、制御回路６の制御のもとに、記録媒体９に記録される。また、この記録媒体９に記録される圧縮符号化された静止画は、圧縮／伸長回路１０により、ＪＰＥＧなどの方式で伸長復号され、さらに、信号処理回路５で処理されて出力端子１２から出力される。
【００２４】
なお、この実施形態では、垂直画素数を９６０としたが、これ以外の画素数であってもよい。この場合、レート変換回路１１では、撮像素子２から信号を読み出す任意の読み出しレートから、６０フィールド／秒のレートへの変換を行なうものである。
【００２５】
以上説明した第１の実施形態は、撮像素子２の色フィルタ配列を図３（ａ）に示した補色方式としたが、次に、この実施形態においては、図３（ｂ）に示す原色方式のＲ，Ｇ，Ｂフィルタを用いた第２の実施形態について説明する。この第２の実施形態も、その全体構成は図１に示すものと同様である。
【００２６】
この第２の実施形態では、動画像を生成する際、画素混合して読み出される信号は、（Ｒ＋Ｂ）信号と（Ｇ＋Ｇ）信号が画素毎に交互に繰り返す点順次信号が出力されるラインと、（Ｇ＋Ｂ）信号と（Ｒ＋Ｇ）信号が画素毎に交互に繰り返す点順次信号が出力されるラインとが交互に繰り返すものである。つまり、第１ラインでは、マゼンタと緑の画素の順次信号、第２ラインでは、シアンと黄の順次信号が出力される。これら４種類の混合画素信号に信号処理回路５でマトリクス演算を行なうことにより、三原色信号Ｒ，Ｇ，Ｂを生成することができる。
【００２７】
この第２の実施形態では、Ｒ，Ｇ，Ｂの原色フィルタを使用しているため、補色信号から原色信号を生成する必要がなく、マトリクス演算によるＲ，Ｇ，Ｂ信号の再生が容易となり、色再現性の調整が簡単であるという効果を有している。また、静止画時では、Ｒ，Ｇ信号が交互に出力される行とＢ，Ｇ信号が交互の出力される行とが繰り返し読み出される独立読出しを行なう。従って、静止画の生成においては、ＣＣＤからＲ，Ｇ，Ｂ信号を独立に出力するためのマトリクス演算が不要となり、マトリクスによる相関演算を行なわないため、色の偽信号が発生しにくいという効果がある。
【００２８】
図４は本発明による撮像装置の第３の実施形態を示すブロック図であって、１４はメモリ、１５はメモリ制御回路であり、図１に対応する部分には同一符号をつけて重複する説明を省略する。
【００２９】
同図において、この第３の実施形態は、図１に示した第１の実施形態での順次変換回路４とレート変換回路１１をメモリ１４とメモリ制御回路１５を用いて共通化したものである。静止画撮像の際に順次変換処理を行なう場合には、撮像素子２の出力をＡ／Ｄ変換回路３でＡ／Ｄ変換したインターレース信号の２フィールド分をメモリ１４に書き込み、これを順次信号として読み出す。メモリ１４の書込み／読み出しはメモリ制御回路１５によって制御される。
【００３０】
また、フレームレートの変換を行なう場合には、信号処理回路５によって生成した上記のＹ，Ｕ，Ｖ信号をメモリ１４に書き込み、これを６０フィールド／秒のレートで読み出すようにする。読み出された映像信号は信号処理回路５内でＮＴＳＣ方式の映像信号などにビデオエンコードされ、ビデオ出力端子１２から出力される。この映像信号の出力は、コンポジットビデオ信号以外の、例えば、原色信号Ｒ，Ｇ，Ｂでもよい。
【００３１】
次に、本発明による撮像装置の第４の実施形態について説明する。
【００３２】
上記の第１〜第３の実施形態では、静止画が圧縮／伸長回路１０でＪＰＥＧなどの圧縮方式により圧縮符号化されて記録媒体９に記録され、また、記録媒体９から読み出される圧縮符号化されて静止画は、圧縮／伸長回路１０でＪＰＥＧなどの方式により、伸長復号されて信号処理回路５に供給されるものであった。
【００３３】
これに対し、この第４の実施形態は、構成は図１，図４と同様であるが、静止画像に加えて、動画像の圧縮／伸長も圧縮／伸長回路１０で行なうものである。画像圧縮は、ＭＰＥＧ(Moving Picture Expert Group)方式などの圧縮方式によって行なう。
【００３４】
なお、ＭＰＥＧ方式による圧縮の際、ＭＰＥＧ２方式による場合には、圧縮への入力はフレームレート変換前のインターレース変換しないＹ，Ｕ，Ｖ信号を用いてもよいし、フレームレート変換後のインターレースに変換した信号を用いてもよい。動画像をＭＰＥＧ方式によって圧縮する場合の撮像素子２の画素数は、垂直の有効画素数が９６０、水平の有効画素数を１４４０とすると都合がよい。
【００３５】
この第４の実施形態では、高画質のＭＰＥＧ２方式のフォーマットによる動画が生成可能である。ＭＰＥＧ２方式による圧縮の際には、ノンインターレースとインターレースの両モードに対応できる。
【００３６】
次に、本発明による撮像装置の第５の実施形態について説明する。この場合も、全体構成は図１，図４と同様である。
【００３７】
これまで説明した実施形態では、静止画撮像の際には、撮像素子２から順次読み出した信号を用いて静止画を生成したが、この第５の実施形態では、画素混合して順次読み出しした信号から静止画像を生成する。このようにして生成された静止画は、ライン数がインターレース独立読み出しによって生成された静止画の場合のほぼ半分であり、解像度は低いが、シャッタ機構なしで撮影できるメリットがある。
【００３８】
また、動画モードにおけるフリーズ機能として利用することができる。従来の撮像装置を用いた場合には、動画をフリーズした場合、フィールド毎に信号の蓄積を行なっているため、動いている被写体に対して解像度の高い静止画が得られなかったが、この第５の実施形態では、動画撮影中に任意のタイミングでフリーズして静止画像を得ても、高解像度の静止画像を得ることができる。また、この撮影モードを連写機能として使用することも可能である。
【００３９】
【発明の効果】
以上説明したように、本発明によれば、動画と静止画を撮影可能な撮像装置において、動画を撮像する際に、画素混合を行なうことにより、間引きなしで全画素の信号を読み出しと動画の生成を行なうことができるので、高画質の静止画と動画とを生成できる。
【図面の簡単な説明】
【図１】本発明による撮像装置の一実施形態の構成を示すブロック図である。
【図２】図１における撮像素子の撮像面の構成の一具体例を示す図である。
【図３】図１における撮像素子の撮像面の色フィルタ配列の具体例を示す図である。
【図４】本発明による撮像装置の他の実施形態の構成を示すブロック図である。
【符号の説明】
１  レンズ
２  撮像素子
３  Ａ／Ｄ変換回路
４  順次変換回路
５  信号処理回路
８  ＣＣＤ駆動回路
９  記録媒体
１０  圧縮／伸長回路
１１  レート変換回路
１２  出力端子
１３  スイッチ
１４  メモリ
１５  メモリ制御回路
２０  画素
２１  垂直ＣＣＤ２１
２２  水平転送部
【図１】
0003932006.tif 000002
【図２】
0003932006.tif 000003
【図３】
0003932006.tif 000004
【図４】
0003932006.tif 000005